(57)【特許請求の範囲】
【請求項１】
印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から該印刷物に一番近いものを選択するよう促がす手段と、
選択された画像に基づき、標準モニタのガンマ特性値及び色度点を用いて該モニタのガンマ特性及び色度点を求めることで、モニタプロファイルを作成する手段と、
を具備することを特徴とするモニタプロファイル作成システム。
【請求項２】
印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から印刷物に一番近いものを選択するよう促がす工程と、
選択された画像に基づき、標準モニタのガンマ特性値及び色度点を用いて該モニタのガンマ特性及び色度点を求めることで、モニタプロファイルを作成する工程と、
を含むことを特徴とするモニタプロファイル作成方法。
【請求項３】
印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から印刷物に一番近いものを選択するよう促がす手順と、
選択された画像に基づき、標準モニタのガンマ特性値及び色度点を用いて該モニタのガンマ特性及び色度点を求めることで、モニタプロファイルを作成する手順と、
をコンピュータに実行させる特徴とするモニタプロファイル作成プログラムを記録した記録媒体。
【発明の詳細な説明】
【０００１】
【発明の属する技術分野】
本発明は、モニタプロファイル作成システム及び方法並びにプログラムを記録した記録媒体に関する。
【０００２】
【従来の技術】
従来、モニタプロファイルを作成するためにモニタの色特性を取得する方法としては、モニタ測色器を使用しているものがある。この方法は、精度は良いが、モニタ測色器が高価なため、流通性、汎用性が低い。
【０００３】
モニタ測色器を用いないものとしては、複数からなるカラーパッチを印刷物とモニタとで目で見比べることによって、モニタプロファイルを作成するシステムが存在する。しかし、複数からなるカラーパッチを目視により見比べるものであるが故に、差を見つけることが難しく、逆に誤差を生む可能性が高い。
【０００４】
モニタに画像を表示し、この画像に対してモニタを調整する方法も考えられるが、これはモニタ自体を調整しているだけで、モニタの色特性を取得している訳ではなく、また特定の１画像のみの合わせ込みであるために、他の画像への流用が効かない。
【０００５】
【発明が解決しようとする課題】
本発明は係る従来技術の欠点に鑑みてなされたもので、モニタプロファイルを低価格かつ簡便でしかも精度良く作成できるようにすることを課題とする。
【０００６】
【課題を解決するための手段】
本発明において上記の課題を達成するために、まず請求項１の発明では、印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から該印刷物に一番近いものを選択するよう促がす手段と、選択された画像に基づき、標準モニタのガンマ特性値及び色度点を用いて該モニタのガンマ特性及び色度点を求めることで、モニタプロファイルを作成する手段と、を具備することを特徴とするモニタプロファイル作成システムとしたものである。
【０００７】
また請求項２の発明では、印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から印刷物に一番近いものを選択するよう促がす工程と、選択された画像に基づき、標準モニタのガンマ特性値及び色度点を用いて該モニタのガンマ特性及び色度点を求めることで、モニタプロファイルを作成する工程と、を含むことを特徴とするモニタプロファイル作成方法としたものである。
【０００８】
また請求項３の発明では、印刷物と標準モニタ上で同じ色に見える標準画像データに対し、ガンマ値の変化、明るさの最大値の変化、Ｒの強さの変化及びＢの強さの変化を各々つけた複数の画像を標準モニタとは別のモニタに表示し、ユーザに対して、目視により、それら画像の中から印刷物に一番近いものを選択するよう促がす手順と、選択された画像に基づき、標準モニタのガンマ特性値及び色度点を用いて該モニタのガンマ特性及び色度点を求めることで、モニタプロファイルを作成する手順と、をコンピュータに実行させる特徴とするモニタプロファイル作成プログラムを記録した記録媒体としたものである。
【０００９】
【発明の実施の形態】
以下に、本発明の一実施形態を説明する。
【００１０】
（１）モニタプロファイル
モニタプロファイル（モニタの色特性を記述しているファイル）を作成するには、
Ｒ色度点、Ｇ色度点、Ｂ色度点
Ｒガンマ特性、Ｇガンマ特性、Ｂガンマ特性
が必要である。ここで、Ｒ、Ｇ、Ｂは、それぞれＲｅｄ、Ｂｌｕｅ、Ｇｒｅｅｎの略である。
【００１１】
（２）ガンマ特性
ガンマ特性は、モニタにおいて、入力電圧に対する出力ビームの関係（ＯＵＴ＝ＩＮγまたはＯＵＴ＝ＩＮ1/γ）であり、ＣＲＴモニタの場合γ＝１．８、２．２（または０．４５、０．５５）と言うものが一般的である。
【００１２】
例えば、γ＝１．８とγ＝２．２（ＲＧＢ同値）のモニタに同じ画像データを表示させた場合、図１に示すように、中間調は、γ＝１．８よりもγ＝２．２の方が、明るく表示される。
【００１３】
ところで、ガンマ特性は、Ｒ、Ｇ、Ｂ別々に定義はしているが、それらが同値であるモニタがほとんどである。従って、本実施形態では、ガンマ特性は、Ｒ、Ｇ、Ｂで同値であるとして、説明をする。
【００１４】
（３）ＲＧＢ色度点
色度点はその信号（例えばＲｅｄ）の最大値を表示したときの色の測色値を表わす。色の測色値は色相（色の種類：赤、青、黄色など）と彩度（色の強さ：どのくらい鮮やかか）などに大別できるが、テストした結果を基に、方向（色相）はおおよそどのモニタであっても同様で、異なるのは色の強さ（彩度）とする。
【００１５】
例えば、Ｒｅｄが強いモニタと弱いモニタに同じ画像データを表示させた場合、図２のように表示され、特にホワイトやグレー色にその区別が明確に出る。
【００１６】
（４）基本原理
ここで、モニタプロファイル作成方法の基本原理を説明する。「ガンマ特性」「色度点」の情報を印刷物に基づいて取得するために、まず材料として、「印刷物」と、「印刷物と標準モニタ上で同じ色に見える画像データ」とを用意する。この様子を、図３に示す。ここでの「標準モニタ」とは、あらゆるモニタから標準とされるようなものではなく、現存する１つのモニタを標準と名付けたものである。また、「印刷物と標準モニタ上で同じ色に見える画像データ」を標準画像データとも呼ぶ。
【００１７】
この標準画像データを別のモニタで表示すると、そのモニタと標準モニタの特性の違いにより、参照する印刷物とモニタ表示画像が異なって見える。この様子を、図４に示す。
【００１８】
例えば、標準モニタのガンマ特性が１．８で、別モニタが２．２であるとすれば、標準画像は印刷物に比べ中間調が明るく見える。このモニタ上にて、図５に示すように、標準画像データと、標準画像データに１．８／２．２の入出力カーブを掛けた「暗い」画像データとを表示した場合、カーブをかけていない標準画像データより「暗い」画像データの方が印刷物の色に近く見える。従って、印刷物と同じに見える画像を選択するようユーザに促すと、「暗い」画像を選ぶことになる。
【００１９】
同様に、標準モニタに比べてＲｅｄが強い別モニタにて標準画像データを表示した場合、印刷物に比べ赤く見える。この様子を、図６に示す。この別モニタ上にて、図７に示すように、標準画像データと、標準画像データにＲｅｄを線形に下げる入出力カーブを掛けた「青い（弱い）」画像データとを表示した場合、カーブをかけていない標準画像データより「青い（弱い）」画像データの方が印刷物の色に近く見える。従って、印刷物と同じに見える画像を選択するようユーザに促すと、「青い（弱い）」画像を選ぶことになる。
【００２０】
本発明では、モニタに表示された画像の間、そしてモニタに表示された画像と印刷物との間で、目視で比較がし易いように、画像として写真を用いる。
【００２１】
（５）モニタプロファイル作成システムのハードウェア構成
本発明のモニタプロファイル作成システムは、図８に示すように、少なくとも、中央処理装置と、主記憶装置と、補助記憶装置と、入力装置と、出力装置とを備え、それら装置がバスで接続されているコンピュータである。
【００２２】
中央処理装置は、プログラムを実行する装置である。
【００２３】
主記憶装置は、中央処理装置がプログラムを実行するために、一時的にプログラムやデータを記憶する装置である。
【００２４】
補助記憶装置は、プログラム及びデータを永続的に記憶する装置である。
【００２５】
出力装置は、情報（データ）を一時的に視覚表示する表示装置（モニタ）、情報（データ）を印刷出力するプリンタなど、ユーザに対して情報（データ）を出力する装置である。モニタプロファイル作成システムは、少なくとも、モニタを備えており、このモニタに対して、モニタプロファイルを作成する。
【００２６】
入力装置は、キーボードやマウスなど情報（データ）を入力する装置である。
【００２７】
（６）モニタプロファイル作成処理
補助記憶装置には、モニタプロファイル作成プログラムが記憶され、このモニタプロファイル作成プログラムが主記憶装置にロードされ中央処理装置によって実行されることにより、モニタプロファイルが作成される。以下に、モニタプロファイルが作成される処理の流れの１例を、図１２のフローチャートに従って、説明する。
【００２８】
ＳＴＥＰ１；
モニタのガンマ特性を取得するために、中央処理装置は、標準画像データａに対して、中間調の変化（明るい、中間、暗い）をつけたもの３つを作成しモニタに表示する。例えば、具体的な値として、図９に示すように、１．０に対して０．５、０．０、−０．５を加えたガンマ値のカーブを標準画像データａに掛けた画像データを作成し、それらを表示する。
ユーザは、これら３つの画像を見て、印刷物に近いものをマウスなどの入力装置で選択する。
【００２９】
ＳＴＥＰ２；
中央処理装置は、標準画像データａに対して、さらに変化の割合を小さくして、中間調の変化（明るい、中間、暗い）をつけたもの３つ作成しモニタに表示する。例えば、具体的な値として、ＳＴＥＰ１で選択された値に、それぞれ０．２、０．０、−０．２を加えた値をガンマ値とするカーブを標準画像データａに掛けた画像データを作成し、それらを表示する。
ユーザは、これら３つの画像を見て、印刷物に近いものをマウスなどの入力装置で選択する。
【００３０】
ＳＴＥＰ３；
モニタの明るさの情報を取得するために、中央処理装置は、標準画像データｄ（モニタの最大輝度の変化が判りやすいもの、例えば黄色い画像）に対して最大値の変化（明るい、中間、暗い）をつけたものを３つ作成しモニタに表示する。例えば、図１０に示すように、具体的な値として、１．０に対して０．１、０．０、−０．１を加えた値を最大値（ＲＧＢ同値）とする画像データを作成し、それらを表示する。
ユーザは、これら３つの画像を見て、印刷物に近いものをマウスなどの入力装置で選択する。
【００３１】
ＳＴＥＰ４；
モニタのＲｅｄの強さを取得するために、中央処理装置は、標準画像データｂに対してＲｅｄの変化（強い、中間、弱い）をつけたものを３つ作成しモニタに表示する。例えば、図１１に示すように、具体的な値として、１．０に対して０．２、０．０、−０．２を加えた値を最大値とした画像データを作成し、それらを表示する。
ユーザは、これら３つの画像を見て、印刷物に近いものをマウスなどの入力装置で選択する。
【００３２】
ＳＴＥＰ５；
中央処理装置は、標準画像データｂに対して、さらに変化の割合を小さくして、Ｒｅｄの変化（強い、中間、弱い）をつけたものを３つ作成しモニタに表示する。例えば、具体的な値として、ＳＴＥＰ４で選択された値に、それぞれ０．１、０．０、−０．１を加えた値を最大値とした画像データを作成し、それらを表示する。
ユーザは、これら３つの画像を見て、印刷物に近いものをマウスなどの入力装置で選択する。
【００３３】
ＳＴＥＰ６；
モニタのＢｌｕｅの強さを取得するために、中央処理装置は、標準画像データｃに対してＢｌｕｅの変化（強い、中間、弱い）をつけたものを３つ作成しモニタに表示する。例えば、Ｒｅｄの場合と同様に、具体的な値として、１．０に対して０．２、０．０、−０．２を加えた値を最大値とした画像データを作成し、それらを表示する。
ユーザは、これら３つの画像を見て、印刷物に近いものをマウスなどの入力装置で選択する。
【００３４】
ＳＴＥＰ７；
中央処理装置は、標準画像データｃに対して、さらに変化の割合を小さくして、Ｂｌｕｅの変化（強い、中間、弱い）をつけたものを３つ作成しモニタに表示する。例えば、Ｒｅｄの場合と同様に、具体的な値として、ＳＴＥＰ６で選択された値に対して０．１、０．０、−０．１を加えた値を最大値とした画像データを作成し、それらを表示する。
ユーザは、これら３つの画像を見て、印刷物に近いものをマウスなどの入力装置で選択する。
【００３５】
ＳＴＥＰ８；
中央処理装置は、モニタのガンマ特性を以下の式で計算する。
ガンマ特性＝標準モニタガンマ値÷ＳＴＥＰ２で選択した値×Ｋ1。
ここで、Ｋ1は、経験的に定められる係数である。また、ＳＴＥＰ２で選択した値は、ＳＴＥＰ１で選択された値に対して異なる変化を加えた複数の値から選んだものなので、ＳＴＥＰ１で選択した値の影響を含んでいる。
【００３６】
ＳＴＥＰ９；
中央処理装置は、モニタのＲ色度点を得るための中間過程として、ＸＹＺ表色系の各ＸＹＺ成分ごとに、Ｒｅｄ色度点を、以下の式で計算する。
Ｒｅｄ色度点＝標準モニタＲ色度点×ＳＴＥＰ５で選択した値×Ｋ2。
ここで、Ｋ2は、経験的に定められる係数である。また、ＳＴＥＰ５で選択した値は、ＳＴＥＰ４で選択された値に対して異なる変化を加えた複数の値から選んだものなので、ＳＴＥＰ４で選択した値の影響を含んでいる。
【００３７】
ＳＴＥＰ１０；
中央処理装置は、モニタのＢ色度点を得るための中間過程として、ＸＹＺ表色系の各ＸＹＺごとに、Ｂｌｕｅ色度点を、以下の式で計算する。
Ｂｌｕｅ色度点＝標準モニタＢ色度点×ＳＴＥＰ７で選択した値×Ｋ3。
ここで、Ｋ3は、経験的に定められる係数である。また、ＳＴＥＰ７で選択した値は、ＳＴＥＰ６で選択された値に対して異なる変化を加えた複数の値から選んだものなので、ＳＴＥＰ６で選択した値の影響を含んでいる。
【００３８】
ＳＴＥＰ１１；
中央処理装置は、総和Ｙを、以下の式で計算する。
総和Ｙ＝ＳＴＥＰ９で求めたＲｅｄ色度点のＹ成分＋ＳＴＥＰ１０で求めたＢｌｕｅ色度点のＹ成分＋標準モニタＧ色度点のＹ成分。
【００３９】
ＳＴＥＰ１２；
中央処理装置は、正規化比率ｒを、以下の式で計算する。
正規化比率ｒ＝ＳＴＥＰ３で選択された値×Ｋ4÷総和Ｙ。
ここで、Ｋ4は、経験的に定められる係数である。
【００４０】
ＳＴＥＰ１３；
中央処理装置は、ＸＹＺ表色系の各ＸＹＺ成分ごとに、モニタのＲ色度点を、以下の式で計算する。
モニタのＲ色度点＝正規化比率ｒ×ＳＴＥＰ９で求めたＲｅｄ色度点。
【００４１】
ＳＴＥＰ１４；
中央処理装置は、ＸＹＺ表色系の各ＸＹＺ成分ごとに、モニタのＧ色度点を、以下の式で計算する。
モニタのＧ色度点＝正規化比率ｒ×標準モニタＧ色度点。
【００４２】
ＳＴＥＰ１５；
中央処理装置は、ＸＹＺ表色系の各ＸＹＺ成分ごとに、モニタのＢ色度点を、以下の式で計算する。
モニタのＢ色度点＝正規化比率ｒ×ＳＴＥＰ１０で求めたＢｌｕｅ色度点。
【００４３】
ＳＴＥＰ１６；
中央処理装置は、ＸＹＺ表色系の各ＸＹＺ成分ごとに、モニタの白色点を、以下の式で計算する。
モニタの白色点＝モニタのＲ色度点＋モニタのＧ色度点＋モニタのＢ色度点。
【００４４】
ＳＴＥＰ１７；
中央処理装置は、モニタのガンマ特性、モニタのＲ色度点、モニタのＧ色度点、モニタのＢ色度点、モニタの白色点を、ファイルに格納して補助記憶装置に記憶する。このファイルが、モニタプロファイルである。
【００４５】
（７）その他
ガンマ特性をＲＧＢ同値として取得しているので、ＳＴＥＰ１及び２のみでガンマ特性を取得している。
【００４６】
Ｇｒｅｅｎの強さを取得しないのは、Ｃｒｅｅｎは輝度成分が多く、色味の成分は少ないと判断しているためである。
【００４７】
ＳＴＥＰ３は、絶対的なモニタの明るさを取得するもので、相対的な（色変換のための）情報取得だけであれば、不必要である。その場合、正規化比率ｒは以下のように計算する。
正規化比率ｒ＝１．０÷総和Ｙ。
【００４８】
ＳＴＥＰ１〜７の各ＳＴＥＰにおいて、選択する画像が３つであるのは、ユーザにストレスを感じさせないために少数にしているだけであって、３つ以上であっても良い。またガンマ特性、Ｒｅｄの強さ、Ｂｌｕｅの強さ、それぞれを取得するために画像選択を２回するのも、ユーザにストレスを感じさせないためで、それが問題なければ、回数が多い方が精度は良くなる。加えて、ここに具体的な値として例示したものは、絶対的なものではなく、「このような値で行う」というために記述している。
【００４９】
さらに、ここでの処理では、ガンマ特性を取得するために画像選択を２回するとき、同じ標準画像データａを用いているが、それぞれの回で異なる標準画像データを用いても良い。また同様に、Ｒｅｄの強さを取得するために画像選択を２回するとき、同じ標準画像データｂを用いているが、それぞれの回で異なる標準画像データを用いても良い。また同様に、Ｂｌｕｅの強さを取得するために画像選択を２回するとき、同じ標準画像データｃを用いているが、それぞれの回で異なる標準画像データを用いても良い。
【００５０】
図１３に、ガンマ特性、明るさの最大値、Ｒｅｄの強さ、Ｂｌｕｅの強さを取得するためにモニタに表示される画像の例を示す。この例では、画像として写真を用いているが、これは、モニタに表示された画像の間、そしてモニタに表示された画像と印刷物との間で、それらの差を目で見つけることが容易であるからである。また、ガンマ特性、明るさの最大値、Ｒｅｄの強さ、Ｂｌｕｅの強さを取得するためにモニタに表示される画像は、それぞれ目で見て、ガンマ特性、明るさの最大値、Ｒｅｄの強さ、Ｂｌｕｅの強さの変化がわかりやすいものであることは、云うまでもない。
【００５１】
【発明の効果】
本発明は、高価な測色器を必要としないため、低価格を実現できるという効果がある。
【００５２】
本発明は、画像として写真を用いれば、モニタに表示された画像の間、及びモニタに表示される画像と印刷物の間で、それらの差を目視でも容易に見分けられるので、簡便かつ精度良くモニタプロファイルを作成できるという効果がある。
【図面の簡単な説明】
【図１】ガンマ特性を説明する説明図。
【図２】Ｒの強さを説明する説明図。
【図３】標準モニタでは印刷物と標準画像データとが同じ色に見えることを説明する説明図。
【図４】標準モニタと異なる特性を持つ別モニタでは標準画像と印刷物が異なる色に見えることを説明する説明図。
【図５】ガンマ特性を計測する基本原理を説明する説明図。
【図６】標準モニタよりもＲの強い別モニタでは標準画像と印刷物が異なる色に見えることを説明する説明図。
【図７】色度点を計測する基本原理を説明する説明図。
【図８】モニタプロファイル作成システムのハードウェア構成を例示するブロック図。
【図９】ガンマ値の変化のつけかたを示す説明図。
【図１０】明るさの最大値の変化のつけかたを示す説明図。
【図１１】Ｒの強さの変化のつけかたを示す説明図。
【図１２】モニタプロファイル作成処理の流れを例示するフローチャート。
【図１３】ガンマ特性、明るさの最大値、Ｒｅｄの強さ、Ｂｌｕｅの強さを取得するためにモニタに表示される画像を例示する説明図。
【図１】
0004277439.tif 000002
【図２】
0004277439.tif 000003
【図３】
0004277439.tif 000004
【図４】
0004277439.tif 000005
【図５】
0004277439.tif 000006
【図６】
0004277439.tif 000007
【図７】
0004277439.tif 000008
【図８】
0004277439.tif 000009
【図９】
0004277439.tif 000010
【図１０】
0004277439.tif 000011
【図１１】
0004277439.tif 000012
【図１２】
0004277439.tif 000013
【図１３】
0004277439.tif 000014